(57)【要約】【課題】防水機能を有しつつ部品点数の増加の抑制を図る。【解決手段】照明装置１は、一つ以上のＬＥＤ２０を有する光源モジュール２と、光源モジュール２を内部に収容する筐体３と、光源モジュール２から放射される照明光を導光し、かつ、照明光を表面から出射させる導光板６とを備える。筐体３は、光源モジュール２を収容する収容部４０と、導光板６の端部６０を支持する支持部４２と、収容部４０の内壁面から光源モジュール２に近付く向きに突出する突出部４３とを有する。突出部４３は、照明光に対して透光性を有し、かつ、導光板６と光学的に結合されている。【選択図】        図３
2020140836.tif 000002
【特許請求の範囲】
【請求項１】
一つ以上の固体発光素子を有する光源モジュールと、
前記光源モジュールを内部に収容する筐体と、
前記光源モジュールから放射される照明光を導光し、かつ、前記照明光を表面から出射させる導光板と、
を備え、
前記筐体は、
前記光源モジュールを収容する収容部と、
前記導光板の端部を支持する支持部と、
前記収容部の内壁面から前記光源モジュールに近付く向きに突出する突出部と、
を有し、
前記突出部は、前記照明光に対して透光性を有し、かつ、前記導光板と光学的に結合されている、
照明装置。
【請求項２】
前記突出部は、前記照明光が入射する入射面を有し、
前記入射面は、前記突出部内に入射する前記照明光を拡散させる拡散面である、
請求項１記載の照明装置。
【請求項３】
前記拡散面は、複数の凹凸が形成されている、
請求項２記載の照明装置。
【請求項４】
前記収容部は、前記照明光に対して透光性を有しておらず、かつ、前記突出部との境界面で前記照明光を遮光する、
請求項１〜３のいずれか１項に記載の照明装置。
【請求項５】
前記支持部は、前記収容部の外側面から突出し、前記導光板を前記導光板の厚み方向に沿って挟むように支持する、
請求項１〜４のいずれか１項に記載の照明装置。
【請求項６】
前記支持部は、前記収容部の外側面から突出し、前記導光板を前記導光板の幅方向に沿って挟むように支持する、
請求項１〜４のいずれか１項に記載の照明装置。
【請求項７】
前記支持部は、前記照明光に対して透光性を有する、
請求項１〜６のいずれか１項に記載の照明装置。
【請求項８】
前記収容部及び前記突出部は、前記導光板と一体に形成されている、
請求項１〜７のいずれか１項に記載の照明装置。
【発明の詳細な説明】
【技術分野】
【０００１】
本開示は、照明装置に関し、より詳細には、導光板を用いる照明装置に関する。
【背景技術】
【０００２】
導光板を用いる照明装置の従来例として、特許文献１記載の面発光表示装置を例示する。特許文献１記載の面発光表示装置（以下、従来例という。）は、導光板と、導光板の端部がはめ込まれるＬＥＤ固定ホルダとを備える。
【０００３】
導光板は、アクリル樹脂等の透光性の高い材料で四角形の板状に形成されている。導光板の表面（又は表面と裏面の両面）には、広告用の文字等が印刷されている。
【０００４】
ＬＥＤ固定ホルダは、キャップ状に形成されて導光板の一辺の端部がはめ込まれる。ＬＥＤ固定ホルダの内部にＬＥＤ基板が収容されている。ＬＥＤ基板には複数のＬＥＤ（Light Emitting Diode）が実装されている。これら複数のＬＥＤは、ＬＥＤ固定ホルダにはめ込まれている導光板の端部と対向している。複数のＬＥＤから放射される光は、導光板の端部から導光板内に入射し、導光板の表面又は表面と裏面の両面から出射する。
【先行技術文献】
【特許文献】
【０００５】
【特許文献１】特開平８−１６０８９２号公報
【発明の概要】
【発明が解決しようとする課題】
【０００６】
ところで、上記従来例のように導光板を用いる照明装置が屋外又は屋側に設置される場合、通常、透光性を有する材料で形成されたケース内に収容されることが多い。つまり、防水構造を有するケース内に照明装置を収容することにより、照明装置を雨水などから保護することができる。
【０００７】
しかしながら、上述のように防水用のケースに照明装置を収容した場合、ケースを含む照明装置全体が大型化してしまうという問題、及び防水構造用の部品（ケース）が増えてしまうという問題が生じる。
【０００８】
本開示の目的は、防水機能を有しつつ部品点数の増加の抑制を図ることができる照明装置を提供することである。
【課題を解決するための手段】
【０００９】
本開示の一態様に係る照明装置は、一つ以上の固体発光素子を有する光源モジュールと、前記光源モジュールを内部に収容する筐体と、前記光源モジュールから放射される照明光を導光し、かつ、前記照明光を表面から出射させる導光板とを備える。前記筐体は、前記光源モジュールを収容する収容部と、前記導光板の端部を支持する支持部と、前記収容部の内壁面から前記光源モジュールに近付く向きに突出する突出部とを有する。前記突出部は、前記照明光に対して透光性を有し、かつ、前記導光板と光学的に結合されている。
【発明の効果】
【００１０】
本開示の照明装置は、防水機能を有しつつ部品点数の増加の抑制を図ることができるという効果がある。
【図面の簡単な説明】
【００１１】
【図１】図１は、本開示の実施形態に係る照明装置の斜視図である。
【図２】図２は、同上の照明装置の分解斜視図である。
【図３】図３は、同上の照明装置の要部の縦断面図である。
【図４】図４は、同上の照明装置の要部の横断面図である。
【図５】図５は、同上の変形例１の照明装置の斜視図である。
【図６】図６は、同上の変形例１の照明装置の要部の縦断面図である。
【図７】図７は、同上の変形例２の照明装置の分解斜視図である。
【図８】図８は、同上の変形例２の照明装置の要部の横断面図である。
【発明を実施するための形態】
【００１２】
以下、本開示の実施形態に係る照明装置について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
実施形態に係る照明装置１（以下、照明装置１と略す。）は、図１〜図４に示すように、光源モジュール２と、筐体３と、導光板６とを備える。ただし、以下の説明においては、特に断りのない限り、図１に矢印で示す前後、左右及び上下の各方向を照明装置１の前後、左右及び上下の各方向と定義する。
【００１４】
光源モジュール２は、複数の固体発光素子と、これら複数の固体発光素子が実装される基板２１と、基板２１に実装された複数の固体発光素子を覆うように封止する封止部材２２とを備える（図２〜図４参照）。固体発光素子は、例えば、青色光を放射するＬＥＤ２０である。ただし、固体発光素子は、青色光を放射する半導体レーザ（レーザダイオードとも呼ばれる。）でもよい。基板２１は、例えば、合成樹脂材料を基材とする絶縁基板によって長方形状に形成されている。基板２１の長手方向（左右方向）の両端には、円形の穴２１０が厚み方向（上下方向）にそれぞれ一つずつ貫通している（図２及び図３参照）。ただし、基板２１は、合成樹脂製の絶縁基板に限定されず、いわゆるメタルコア基板であっても構わない。複数のＬＥＤ２０は基板２１の上面に間隔を空けて一列に並ぶように実装される（図３参照）。そして、これら複数のＬＥＤ２０は、シリコーン樹脂などの透光性を有する合成樹脂材料からなる封止部材２２で覆われて封止される。封止部材２２には、青色光を黄色光に波長変換する蛍光体が含有されている。したがって、光源モジュール２は、複数のＬＥＤ２０から放射される青色光の一部を蛍光体で黄色光に変換させ、青色光と黄色光を混ぜることで白色の照明光を放射するように構成されている。なお、このように構成される光源モジュール２は、ＣＯＢ（Chip On Board）型のＬＥＤモジュールと呼ばれる場合がある。ただし、光源モジュール２は、複数のパッケージ型のＬＥＤを基板２１に実装して構成されても構わない。
【００１５】
導光板６は、アクリル樹脂又はポリカーボネート樹脂などの透光性を有する合成樹脂材料によって四角形の板状に形成されている（図２参照）。ただし、導光板６は、石英ガラスなどの無機ガラスで形成されてもよい。導光板６の下側の端部６０における前面及び後面には、それぞれ固定用の突起６１が二つずつ形成されている（図２及び図４参照）。これら四つの突起６１は、いずれも三角柱状に形成されている。
【００１６】
筐体３は、ボディ４とカバー５を備える。ボディ４は、収容部４０、フランジ４１、支持部４２及び突出部４３を有する。収容部４０は、長方形状の底壁４００と、底壁４００の前側の辺から下向きに突出する長方形状の前側壁４０１と、底壁４００の後側の辺から下向きに突出する長方形状の後側壁４０２とを備える。収容部４０は、底壁４００の左側の辺から下向きに突出する長方形状の左側壁４０３と、底壁４００の右側の辺から下向きに突出する長方形状の右側壁４０４とを更に備える。すなわち、収容部４０は、底壁４００と四つの側壁（前側壁４０１、後側壁４０２、左側壁４０３及び右側壁４０４）に囲まれた収容空間を有する箱状に形成されている。なお、底壁４００の下面における左右両端には、下向きに突出する円筒形状のボス４０５がそれぞれ一つずつ設けられている（図３参照）。これら二つのボス４０５には、それぞれナット４０６が一つずつ埋め込まれている。
【００１７】
フランジ４１は、長方形の枠状に形成されている。フランジ４１は、収容部４０の四つの側壁における外側面の下端から外向き（前後方向及び左右方向）に突出している。フランジ４１の下面には凹部４１０が設けられている（図３及び図４参照）。凹部４１０は、フランジ４１の下面において収容部４０の開口を全周に亘（わた）って囲むように枠状に形成されている。
【００１８】
支持部４２は、前側板４２０、後側板４２１、左側板４２２及び右側板４２３を有する。前側板４２０は、長方形状に形成されて収容部４０の底壁４００の上面から上向きに突出している。後側板４２１は、長方形状に形成されている。後側板４２１は、収容部４０の底壁４００の上面から上向きに突出し、かつ、前側板４２０の後方から前側板４２０に対向している。なお、前後方向に沿った前側板４２０と後側板４２１の間隔は、導光板６の端部６０の厚みよりも僅かに大きい（図４参照）。
【００１９】
左側板４２２及び右側板４２３は、いずれも長方形状に形成されて収容部４０の底壁４００の上面から上向きに突出している。左側板４２２は、前側板４２０及び後側板４２１のそれぞれの左側面と繋がっている。右側板４２３は、前側板４２０及び後側板４２１のそれぞれの右側面と繋がっている。なお、左右方向に沿った左側板４２２と右側板４２３の間隔は、導光板６の端部６０の左右方向の幅よりも僅かに大きい。
【００２０】
前側板４２０及び後側板４２１は、一対の結合片４２５をそれぞれ有している（図１及び図２参照）。前側板４２０の一対の結合片４２５は、それぞれ前側板４２０の上端から下向きに伸びた一対の縦溝４２４に挟まれるように前側板４２０と一体に形成されている。後側板４２１の一対の結合片４２５は、それぞれ後側板４２１の上端から下向きに伸びた一対の縦溝４２４に挟まれるように後側板４２１と一体に形成されている。また、計四つの結合片４２５のそれぞれには、長方形の穴４２６が前後方向に貫通している（図４参照）。
【００２１】
しかして、支持部４２は、四つの側板（前側板４２０、後側板４２１、左側板４２２及び右側板４２３）と底壁４００に囲まれた空間に導光板６の端部６０を収容し、導光板６を導光板６の厚み方向（前後方向）に沿って挟むように支持する。さらに、支持部４２の四つの結合片４２５のそれぞれの穴４２６に導光板６の四つの突起６１が一つずつはまり込むことにより（図４参照）、支持部４２に対して導光板６が抜け止めされる（図１、図３及び図４参照）。
【００２２】
突出部４３は、透光性を有する合成樹脂材料（アクリル樹脂又はポリカーボネート樹脂など）によって長尺の直方体形状に形成されている。突出部４３は、底壁４００の前後方向の中央から光源モジュール２に近付く向き（下向き）に突出している（図３及び図４参照）。
【００２３】
突出部４３の下面は、光源モジュール２の封止部材２２と上下方向に対向しており、光源モジュール２から放射される照明光が入射する入射面４３０となる。ただし、入射面４３０には、のこぎり波状の凹凸からなる複数のプリズムが形成されている。つまり、入射面４３０は、突出部４３内に入射する照明光を複数のプリズムで屈折させて拡散させる拡散面である。ただし、入射面４３０は、プリズム以外の凹凸が形成されても構わない。
【００２４】
ここで、収容部４０の底壁４００のうち、突出部４３と導光板６に挟まれている一部分が突出部４３と同じ合成樹脂材料で突出部４３と一体に形成されている（図４参照）。したがって、突出部４３は、透光性を有する合成樹脂材料で形成された底壁４００の一部分を介して、導光板６と光学的に結合されている。また、支持部４２も突出部４３と同じ合成樹脂材料で突出部４３と一体に形成されている（図４参照）。一方、ボディ４は、収容部４０の底壁４００のうちの前記一部分と支持部４２と突出部４３を除いて、透光性を有しない合成樹脂材料で形成されている。なお、透光性を有する合成樹脂材料製の支持部４２、突出部４３及び底壁４００の前記一部分と、透光性を有しない合成樹脂材料製の収容部４０及びフランジ４１は、二色成形によって一体に形成されている。
【００２５】
カバー５は、透光性を有しない合成樹脂材料によって長尺の長方形状に形成されている（図２参照）。カバー５の上面における長手方向（左右方向）の両端に、円盤形状の突部５０が一つずつ形成されている。各突部５０の中心には、上下方向にカバー５を貫通する挿通穴５１がそれぞれ設けられている。また、カバー５の下面における各挿通穴５１の周囲に、挿通穴５１の直径よりも直径の大きい円形の凹部５２が形成されている（図３参照）。
【００２６】
カバー５は、ボディ４のフランジ４１の下面にかぶせられる。カバー５とフランジ４１は、フランジ４１の凹部４１０に収容されたシール部材３０によってシールされる（図３参照）。シール部材３０は、例えば、エラストマによって長方形の枠状に形成されている（図２参照）。カバー５は、二つの挿通穴５１のそれぞれに１本ずつ挿通されるボルトが、基板２１の二つの穴２１０を通して、ボディ４の二つのナット４０６のそれぞれに１本ずつ結合されることでボディ４に固定される（図３参照）。なお、カバー５の凹部５２にはシール座金が収容され、当該シール座金によってカバー５の挿通穴５１がシールされる。
【００２７】
ここで、光源モジュール２の基板２１とカバー５の間に放熱部材３１が配置される（図３及び図４参照）。放熱部材３１は、シリコーンゴムなどの熱の良導体によって長尺の長方形状に形成されている（図２参照）。放熱部材３１は、基板２１とカバー５を熱的に結合することにより、光源モジュール２で発生する熱をカバー５に伝導して放熱性の向上を図っている。
【００２８】
照明装置１は、図示しない電源装置から供給される直流電力で光源モジュール２を点灯させる。光源モジュール２から放射される照明光は、突出部４３の入射面４３０から突出部４３に入射する。突出部４３に入射した照明光は、突出部４３内及び支持部４２内を導光された後に導光板６に入射する。ただし、突出部４３に入射した照明光の一部は、支持部４２内を導光される途中でボディ４の外に出射する。そして、導光板６に入射した照明光は、導光板６の全面から出射する。
【００２９】
ここで、導光板６の端部６０が収容される支持部４２の内側の空間は、底壁４００によって収容部４０の収容空間と隔絶されている。つまり、導光板６の端部６０と支持部４２の側板（前側板４２０、後側板４２１、左側板４２２及び右側板４２３）の隙間に浸入する異物（例えば、水などの液体）は、底壁４００に遮られて筐体３内には浸入できない。その結果、照明装置１は、従来例のように防水用のケースに収容されなくても防水機能を持つことができるので、防水機能を有しつつ部品点数の増加の抑制を図ることができる。
【００３０】
また、突出部４３の入射面４３０が拡散面であるため、突出部４３に入射する照明光を拡散させて導光板６から出射する照明光の均斉度の向上を図ることができる。なお、照明装置１は、入射面４３０に複数の凹凸を形成することで拡散面としているので、部品点数を増加させずに入射面４３０を拡散面とすることができる。
【００３１】
ところで、収容部４０の底壁４００において、透光性を有する合成樹脂材料で突出部４３と一体に形成されている部分と、透光性を有しない合成樹脂材料で形成されている部分との境界面４０７（図４参照）で照明光が遮光されることが好ましい。境界面４０７で照明光が遮光されることにより、不要な方向に照射光が出射されることを防ぐことができる。
【００３２】
次に、実施形態に係る照明装置１の幾つかの変形例について説明する。ただし、変形例の照明装置１の基本構成は実施形態に係る照明装置１と共通しているので、共通の構成要素には同一の符号を付して図示並びに説明は適宜省略する。
【００３３】
変形例１の照明装置１は、図５及び図６に示すように、支持部４２が導光板６を導光板６の幅方向（左右方向）に沿って挟むように支持する点が実施形態に係る照明装置１と異なっている。
【００３４】
変形例１の照明装置１において、支持部４２の前側板４２０及び後側板４２１のそれぞれの左右両端に縦溝４２４が一つずつ形成されることにより、支持部４２の左側板４２２及び右側板４２３がそれぞれ結合片４２５を構成している。
【００３５】
また、変形例１の照明装置１において、導光板６の端部６０における左側面及び右側面に三角柱状の突起６１が設けられ、端部６０における前面及び後面には突起６１が設けられていない。
【００３６】
しかして、導光板６は、端部６０の左側面の突起６１が支持部４２の左側板４２２（結合片４２５）の穴４２６にはめ込まれ、端部６０の右側面の突起６１が支持部４２の右側板４２３（結合片４２５）の穴４２６にはめ込まれる（図５及び図６参照）。その結果、変形例１の照明装置１において、支持部４２は、導光板６を導光板６の幅方向（左右方向）に沿って挟むように支持している。
【００３７】
変形例１の照明装置１は、支持部４２が導光板６を導光板６の幅方向（左右方向）に沿って挟むように支持するので、支持部４２の前側板４２０及び後側板４２１に結合片４２５が不要であるから、支持部４２の外観上の見栄えの向上を図ることができる。
【００３８】
また、変形例２の照明装置１においては、収容部４０と突出部４３が導光板６と一体に形成されている（図７及び図８参照）。ただし、導光板６、突出部４３及び収容部４０の底壁４００のうちで導光板６と突出部４３を結合している部分は透光性を有する合成樹脂材料で形成され、それ以外の部分は、透光性を有しない合成樹脂材料で形成されることが好ましい。
【００３９】
変形例２の照明装置１は、収容部４０と突出部４３が導光板６と一体に形成されることにより、部品点数の更なる削減を図ることができる。
【００４０】
上述のように第１の態様に係る照明装置（１）は、一つ以上の固体発光素子（ＬＥＤ２０）を有する光源モジュール（２）と、光源モジュール（２）を内部に収容する筐体（３）とを備える。第１の態様に係る照明装置（１）は、光源モジュール（２）から放射される照明光を導光し、かつ、照明光を表面から出射させる導光板（６）を備える。筐体（３）は、光源モジュール（２）を収容する収容部（４０）と、導光板（６）の端部（６０）を支持する支持部（４２）と、収容部（４０）の内壁面から光源モジュール（２）に近付く向きに突出する突出部（４３）とを有する。突出部（４３）は、照明光に対して透光性を有し、かつ、導光板（６）と光学的に結合されている。
【００４１】
第１の態様に係る照明装置（１）は、導光板（６）の端部（６０）を支持する支持部（４２）が収容部（４０）と隔絶されており、かつ、突出部（４３）を介して照明光が導光板（６）に導光される。そのため、第１の態様に係る照明装置（１）は、従来例のように防水用のケースに収容されなくても防水機能を持つことができるので、防水機能を有しつつ部品点数の増加の抑制を図ることができる。
【００４２】
第２の態様に係る照明装置（１）は、第１の態様との組合せにより実現され得る。第２の態様に係る照明装置（１）において、突出部（４３）は、照明光が入射する入射面（４３０）を有することが好ましい。入射面（４３０）は、突出部（４３）内に入射する照明光を拡散させる拡散面であることが好ましい。
【００４３】
第２の態様に係る照明装置（１）は、突出部（４３）に入射する照明光を拡散させて導光板（６）から出射する照明光の均斉度の向上を図ることができる。
【００４４】
第３の態様に係る照明装置（１）は、第２の態様との組合せにより実現され得る。第３の態様に係る照明装置（１）において、拡散面は、複数の凹凸が形成されていることが好ましい。
【００４５】
第３の態様に係る照明装置（１）は、部品点数を増加させずに入射面（４３０）を拡散面とすることができる。
【００４６】
第４の態様に係る照明装置（１）は、第１〜第３の態様のいずれか一つとの組合せにより実現され得る。第４の態様に係る照明装置（１）において、収容部（４０）は、照明光に対して透光性を有しておらず、かつ、突出部（４３）との境界面（４０７）で照明光を遮光することが好ましい。
【００４７】
第４の態様に係る照明装置（１）は、境界面（４０７）で照明光が遮光されることにより、不要な方向に照射光が出射されることを防ぐことができる。
【００４８】
第５の態様に係る照明装置（１）は、第１〜第４の態様のいずれか一つとの組合せにより実現され得る。第５の態様に係る照明装置（１）において、支持部（４２）は、収容部（４０）の外側面から突出し、導光板（６）を導光板（６）の厚み方向に沿って挟むように支持することが好ましい。
【００４９】
第５の態様に係る照明装置（１）は、支持部（４２）による導光板（６）の支持強度の向上を図ることができる。
【００５０】
第６の態様に係る照明装置（１）は、第１〜第４の態様のいずれか一つとの組合せにより実現され得る。第６の態様に係る照明装置（１）において、支持部（４２）は、収容部（４０）の外側面から突出し、導光板（６）を導光板（６）の幅方向に沿って挟むように支持することが好ましい。
【００５１】
第６の態様に係る照明装置（１）は、支持部（４２）の外観上の見栄えの向上を図ることができる。
【００５２】
第７の態様に係る照明装置（１）は、第１〜第６の態様のいずれか一つとの組合せにより実現され得る。第７の態様に係る照明装置（１）において、支持部（４２）は、照明光に対して透光性を有することが好ましい。
【００５３】
第７の態様に係る照明装置（１）は、支持部（４２）からも照明光を出射させることにより、照明光の照射範囲の拡大を図ることができる。
【００５４】
第８の態様に係る照明装置（１）は、第１〜第７の態様のいずれか一つとの組合せにより実現され得る。第８の態様に係る照明装置（１）において、収容部（４０）及び突出部（４３）は、導光板（６）と一体に形成されていることが好ましい。
【００５５】
第８の態様に係る照明装置（１）は、収容部（４０）と突出部（４３）が導光板（６）と一体に形成されることにより、部品点数の更なる削減を図ることができる。
【符号の説明】
【００５６】
１  照明装置
２  光源モジュール
３  筐体
６  導光板
２０  ＬＥＤ（固体発光素子）
４０  収容部
４２  支持部
４３  突出部
６０  端部
４０７  境界面
４３０  入射面
【図１】
2020140836.tif 000003
【図２】
2020140836.tif 000004
【図３】
2020140836.tif 000005
【図４】
2020140836.tif 000006
【図５】
2020140836.tif 000007
【図６】
2020140836.tif 000008
【図７】
2020140836.tif 000009
【図８】
2020140836.tif 000010